(57)【要約】【課題】  防水扉を円滑に起立させる起立装置を備えた防水扉装置の提供。【解決手段】  防水扉３が所定の角度位置となるまで（ヒンジ装置の第１当接部１１ｂに第２当接部３４ａが当接するまで）は、回動アーム２４が回動されて押し上げアーム部２４ｃが押し上げ係合部４０と係合して支持アーム２２の先端部２２ａを上方に移動させつつ回動アーム２４の長アーム部２４ａ先端の長孔２５を介して防水扉３を起立方向に回動させ、所定の角度位置以後は、回動アーム２４の長アーム部２４ａ先端部が支持アーム２２に対して回動しつつ上昇することによりピン２６が長孔２５を引っ掛けて回動アーム２４全体を引き上げることで支持アーム２２先端部を持ち上げて駆動軸２０回りに上方に回動させて防水扉３を起立させる。【選択図】  図４
2006077389.tif 000002
【特許請求の範囲】
【請求項１】
防水扉を、出入口の床面に設けられた収納凹部体にヒンジ装置により起倒可能に支持し、収納凹部体の開口を閉塞する状態から前記出入口を閉塞する状態に起立させるようにした防水扉装置において、収納凹部体の防水扉の先端部側に防水扉枢軸と同方向の駆動軸を回転可能に設け、その駆動軸を中心にして回動可能な支持アームを先端部が防水扉の基部に向くように設け、駆動軸に駆動車を固着し、基部の一方側に長アーム部を他方側に押し上げアーム部を備えた回動アームの前記基部を支持アームの先端部に中間軸を介して回動可能に設け、押し上げアーム部と係脱する押し上げ係合部を設け、前記回動アームの基部に中間軸を回動中心とする回動車を固着し、回動アームの長アーム部先端部を防水扉に長孔を介して連結し、駆動車と回動車に帯状体を懸回し、駆動軸により帯状体、回動車を介して回動アームを回動させたとき、防水扉の所定の起立角度位置までは押し上げアーム部先端が前記押し上げ係合部と係合して支持アーム先端部を前記駆動軸回りに上方に回動させ、前記所定の角度位置以後は、回動アームの長アーム部先端部が支持アームに対して回動しつつ上昇することにより支持アーム先端部を持ち上げて前記駆動軸回りに上方に回動させて防水扉を起立させるようにしたことを特徴とする防水扉装置。
【請求項２】
収納凹部体の防水扉基部側に設けられ、防水扉を起倒可能に支持するヒンジ装置は、収納凹部体に固定される支持部材に揺動ベースの基部を扉起倒方向に揺動可能に軸支し、揺動ベースの中間部に第１リンクの下端部を回動自在に連結し、揺動ベースの自由端部に第２リンクの下端部を回動自在に連結し、防水扉の基部に固着される取付部材に前記第１、第２リンクの上端部を回動自在に連結し、第１リンクの中間部に第１当接部を設け、揺動ベースの中間部に第１リンクが下側へ所定量揺動されたときに第１当接部が当接する第２当接部を設け、防水扉を、収納凹部体の開口を塞ぐ位置から起立方向へ回動させる起立初期には第１リンクと第２リンクの差動回動により防水扉の基部を防水扉先端側へ移動させ、押し上げ係合部と押し上げアーム部先端との係合が解除される起立角度位置となると第１リンクの第１当接部が揺動ベースの第２当接部に当接して第１リンクと第２リンクの差動回動を規制して揺動ベースと一体に上向き回動可能に構成されていることを特徴とする請求項１記載の防水扉装置。
【請求項３】
揺動ベースに押し上げ係合部が一体に設けてあることを特徴とする請求項２記載の防水扉装置。
【発明の詳細な説明】
【技術分野】
【０００１】
この発明は、主に建物や駐車場等の出入口からの浸水を防止する防水扉装置に関する。
【背景技術】
【０００２】
防水扉装置として、特許文献１には、ピット内に最終減速機の回転軸に取り付けられたリフトレバーが備えてあり、駆動機構を介して駆動される最終減速機によってリフトレバーの先端が上向きに枢動されることで、ピット内に一側が枢着された防水扉の他側を押し上げて起立させ、出入り口を閉鎖するようにしているものが開示されている。
特許文献２には、ケース（収容凹部）内に防水扉の下面に対して前後に移動可能に係合する駆動レバーと、その駆動レバーを前後に揺動させるチェーンとが備えてあり、駆動機構を介して走行駆動されるチェーンによって駆動レバーの先端が前方（上向き）に揺動されることで、ケース内に前部が起倒自在に装着された防水扉の後部側を押し上げて起立させるようにしたものが記載されている。また、特許文献３〜５は、防水扉のヒンジ装置の先行文献である。
これらの特許文献１〜５の先行技術に鑑み、本願出願人は、特願２００３−１５０７１１「防水扉装置」（先行出願１）及び特願２００３−４２６３５７「防水扉のヒンジ装置」（先行出願２）を提案している。先行出願１は、図６に示すようにチェンａを回動すると、スプロケットｂが回転し、スプロケットｂと一体の回動アームｃが支持アームｄ先端の軸ｅを中心に反時計方向に回転し、長孔ｆとピンｇを介して防水扉ｈを水平から起立させ、防水扉ｈが起立してピンｇ位置が上昇することにより長孔ｆを引っ掛けて回動アームｃ全体を上方に引き上げ、これにより支持アームｄの先端（軸ｅ部分）が駆動軸ｋを回動中心として上方に引き上げられていき、最終的に図６の二点差線に示すように支持アームｄと回動アームｃとが一直線となって防水扉ｈを起立させるものである。
【特許文献１】特開平６−２５７３４５号公報
【特許文献２】特開２０００−２２６９６５号公報
【特許文献３】特開平１０−２３８２３９号公報
【特許文献４】特開平６−２５７３４３号公報
【特許文献５】特開２００１−２５４５６３号公報
【発明の開示】
【発明が解決しようとする課題】
【０００３】
前記先行出願１記載の発明では、防水扉の起立動作の全過程において、回動レバー先端の長孔と係合しているピン位置が回動レバーの回動による防水扉の起立に従って上方に移動することにより、回動レバーの長孔を引っ掛けて回動レバー全体を上方に引き上げて支持アーム先端を上方に引き上げているため、防水扉の起立初期において防水扉を起立させる動作が円滑でなくなるなどの不都合が発見された。本発明は前記先行出願１記載の発明の改良に係るものであり、防水扉の円滑な起立動作を実現しようとするものである。
【課題を解決するための手段】
【０００４】
本発明は、防水扉を、出入口の床面に設けられた収納凹部体にヒンジ装置により起倒可能に支持し、収納凹部体の開口を閉塞する状態から前記出入口を閉塞する状態に起立させるようにした防水扉装置において、収納凹部体の防水扉の先端部側に防水扉枢軸と同方向の駆動軸を回転可能に設け、その駆動軸を中心にして回動可能な支持アームを先端部が防水扉の基部に向くように設け、駆動軸に駆動車を固着し、基部の一方側に長アーム部を他方側に押し上げアーム部を備えた回動アームの前記基部を支持アームの先端部に中間軸を介して回動可能に設け、押し上げアーム部と係脱する押し上げ係合部を設け、前記回動アームの基部に中間軸を回動中心とする回動車を固着し、回動アームの長アーム部先端部を防水扉に長孔を介して連結し、駆動車と回動車に帯状体を懸回し、駆動軸により帯状体、回動車を介して回動アームを回動させたとき、防水扉の所定の起立角度位置までは押し上げアーム部先端が前記押し上げ係合部と係合して支持アーム先端部を前記駆動軸回りに上方に回動させ、前記所定の角度位置以後は、回動アームの長アーム部先端部が支持アームに対して回動しつつ上昇することにより支持アーム先端部を持ち上げて前記駆動軸回りに上方に回動させて防水扉を起立させるようにしたことを特徴とする。
【０００５】
収納凹部体の防水扉基部側に設けられ、防水扉を起倒可能に支持するヒンジ装置は、収納凹部体に固定される支持部材に揺動ベースの基部を扉起倒方向に揺動可能に軸支し、揺動ベースの中間部に第１リンクの下端部を回動自在に連結し、揺動ベースの自由端部に第２リンクの下端部を回動自在に連結し、防水扉の基部に固着される取付部材に前記第１、第２リンクの上端部を回動自在に連結し、第１リンクの中間部に第１当接部を設け、揺動ベースの中間部に第１リンクが下側へ所定量揺動されたときに第１当接部が当接する第２当接部を設け、防水扉を、収納凹部体の開口を塞ぐ位置から起立方向へ回動させる起立初期には第１リンクと第２リンクの差動回動により防水扉の基部を防水扉先端側へ移動させ、押し上げ係合部と押し上げアーム部先端との係合が解除される起立角度位置となると第１リンクの第１当接部が揺動ベースの第２当接部に当接して第１リンクと第２リンクの差動回動を規制して揺動ベースと一体に上向き回動可能に構成されている。押し上げ係合部は揺動ベースに一体に設けてある。
【発明の効果】
【０００６】
本願発明では、防水扉が所定の角度位置となるまでは、回動アームが回動されて押し上げアーム部が押し上げ係合部と係合して支持アームの先端部を上方に移動させつつ回動アームの長アーム部先端の長孔を介して防水扉を起立方向に回動させ、所定の角度位置以後は、回動アームの長アーム部先端が支持アームに対して回動しつつ上昇することにより支持アーム先端部を持ち上げて駆動軸回りに上方に回動させて防水扉を起立させるので、防水扉が所定の角度位置となるまでは、長孔を介して回動アーム全体を引き上げることで支持アームを上方移動させていないから、防水扉の起立過程の全過程にわたって、回動アームと防水扉との連結部分の上方移動で回動アーム全体を引き上げることで支持アーム先端部を引き上げている先行出願１に比べて、起立動作を円滑に行うことができる。
【実施例】
【０００７】
本願発明の実施例について図１〜図５に基づいて説明する。防水扉装置１は、防水扉３を、建物や駐車場等の出入口の通路部の床面（下面）Ｆに埋設された収納凹部体２の上部開口を閉塞する傾倒位置Ｐ１（図３）と出入口を閉塞する起立位置Ｐ２（図５）との間で後述の起倒装置３１により起倒するものである。前記収納凹部体２は上方を開口した箱型形状であって、出入口の床面Ｆに形成された長方形状の収納凹部４内に設置されている。収納凹部４の開口内側に沿って縁材５が取り付けてある。収納凹部体２の前板２ａ側にはシール材（パッキン部材）６を備えた扉枠７が通路の左右両側の図示しない壁面に付設されている。この実施形態において扉枠７，７が設けられる通路の床面Ｆは、水平に対して扉３の基部３ｂ側に僅かに下がり勾配で傾斜している。収納凹部体２の前板２ａには水平方向のシール材（パッキン部材）８が取り付けてあり、そのシール材８の両端を、扉枠７の長手に沿った方向のシール材６下端側と連続させてある。
【０００８】
防水扉３が傾倒位置Ｐ１に位置する時、防水扉３の先端部（自由端部）３ａの下面が当接する断面Ｌ字状の支持部材１５が、収納凹部体２の後板２ｂに取り付けてある。防水扉３が傾倒位置Ｐ１にあるとき、防水扉３の上面は、床面Ｆと同一面となっている。
【０００９】
ヒンジ装置３３について説明する。収納凹部体２の底板２ｃに取り付けたベース板６０には、前板２ａ側の左、右に夫々一対のブラケットから成る支持部材１０が固着されている。支持部材１０を成す各一対のブラケットの間には、揺動ベース１１の基部が挟まれて枢軸１２により揺動ベース１１を防水扉３の起倒方向に揺動可能に枢着している。揺動ベース１１は、図２に示すように、幅方向中央部に溝部が形成されて溝部両側が側壁部１１ａとなっている。溝部上面は第２当接部１１ｂを構成している。この揺動ベース１１の下面は、図３に示すように防水扉３が傾倒位置Ｐ１にあるとき、ベース板６０の上面に当接している。また、揺動ベース１１の中間部（枢軸１２とベース１１の自由端部との間）には、Ｌ字形状の第１リンク３４の下端部を側壁部１１ａの間に入れた状態で第１下枢軸１４ｂにより回動自在に連結してある。また、揺動ベース１１の自由端部には、第１リンク３４より長い第２リンク３５の下端部を側壁部１１ａ間に入れた状態で第２下枢軸３６ｂにより回動自在に連結してある。揺動ベース１１の一方の側面下部には、後述する回動アーム２４の回動時に、回動アーム２４の押し上げアーム部２４ｃ先端が、摺接移動する押し上げ係合部（カム体）４０が一体に設けてある。
【００１０】
防水扉３は収納凹部体２の開口部分を塞ぐように形成されたものであって、防水扉基部３ｂ側には前記ヒンジ装置３３に対峙するように取付部材１３が固着されている。この取付部材１３の扉枠７に近い部分には第１リンク３４の上端が第１上枢軸１４ａにより枢着されており、取付部材１３の扉枠７から遠い部分には第２リンク３５の上端が第２上枢軸３６ａにより枢着されている。第１リンク３４の屈曲した中間部下側には第１当接部３４ａが形成されており、第１リンク３４が下側（図３において右向き）へ所定量揺動されたときに、第１当接部３４ａは一対の側壁部１１ａの間に入りこんで前記揺動ベース１１の第２当接部１１ｂに当接するようになっている。
【００１１】
第１リンク３４の第１当接部３４ａが第２当接部１１ｂに当接するタイミングで、後述する回動アーム２４の押し上げアーム部２４ｃと押し上げ係合部４０との係合が解除されるように設定されている。
【００１２】
次に、扉３の起倒装置３１について説明する。１６は収納凹部体２に配置された駆動モータであり、駆動モータ１６にはギヤユニット１８が連結されている。ギヤユニット１８の左右には、夫々カップリング部材１９を介して枢軸１２と同方向の駆動軸２０の一端が連結されている。この駆動軸２０はギヤユニット１８を介して駆動モータ１６により正逆回転可能となっている。
【００１３】
左右の各駆動軸２０の他端部は、後板２ｂ側の左右でベース板６０上に夫々設置されたブラケット２１に支持される。また、駆動軸２０の他端部には、各一対の支持アーム２２の基部２２ｂが間隔をあけて駆動軸２０を中心にして相対回動可能に取り付けてある。この各２本の支持アーム２２の先端部２２ａは防水扉基部３ｂ側に向き中間軸２３によって連結されている。回動アーム２４は、それ自体の基部２４ｂの一方側に長アーム部２４ａが、他方側に押し上げアーム部２４ｃが一体に設けてある。中間軸２３には、支持アーム２２間に中間軸２３を中心にして回動アーム２４の前記基部２４ｂが相対回動可能に取り付けられている。その回動アーム２４の長アーム部２４ａの先端部は防水扉３の先端部３ａに向くように設けられ、先端部にはアーム長手に沿って長孔２５が設けてある。長孔２５には、防水扉３の先端側下面に取り付けたブラケット２７に設けたピン２６が移動可能に案内されている。この長孔２５の防水扉３先端側は、前記ヒンジ装置３３の第１、第２当接部３４ａ，１１ｂが当接した時の防水扉３の所定の起立角度位置（ここでは４５度）となるまではピン２６が長孔２５に沿って移動でき、前記起立角度となると前記ピン２６に当接するように形成されている（図４）。
【００１４】
回動アーム２４の基部２４ｂには中間軸２３を回動中心とする第１チェーンホイール（回動車）２８が固着されている。駆動軸２０には、支持アーム２２間の部分に第２チェーンホイール（駆動車）２９が固着されている。この第１チェーンホイール２８と第２チェーンホイール２９には無端チェーン（帯状体）３０が懸回されて、前記駆動モータ１６等と共に、回動アーム２４を回動して扉３を起倒させるようになっている。なお、チェーンに代えて、ワイヤロープのような索状体の使用も可能である。
【００１５】
次に、上記のように構成した防水扉装置１の動作について説明する。防水扉装置１は、通常は図３に示す傾倒位置Ｐ１にある。このとき防水扉基部３ｂの端面が前板２ａ側の縁材５に近づいて配置されており、防水扉３は収納凹部体２の開口を殆ど隙間なく塞いでいる。よって通行の安全と美観を確保できる。大雨によって建物や駐車場等の出入口に浸水が生じる恐れがある水害予想時には、起倒装置３１により防水扉３が起立回転される。
【００１６】
防水扉３が傾倒位置Ｐ１にある状態から、駆動軸２０の駆動により第２チェーンホイール２９を図３において反時計方向に回動すると、無端チェーン３０、第１チェーンホイール２８を介して回動アーム２４が中間軸２３を中心に反時計方向に回動し、押し上げアーム部２４ｃ先端のカムフォロア５０が押し上げ係合部４０の上面に沿って移動して支持アーム２２先端を駆動軸２０を回転中心として上方に移動させつつ、長アーム部２４ａの長孔２５は、ピン２６に沿って相対移動しながらピン２６を介して起倒方向上向きに防水扉３を揺動させる。ピン２６と長孔２５の相対移動は、第１当接部３４ａが第２当接部１１ｂに当接するまで持続して行われるため、防水扉３を起立させる動作が円滑に行われる。このときヒンジ装置３３の第１リンク３４は、第１下枢軸１４ｂを中心として下向き（図３において右向き）に回転し、第２リンク３５は第２下枢軸３６ｂを中心として上向き（図３において右向き）に回転する。
【００１７】
起立途中の所定の角度位置で第１当接部３４ａが第２当接部１１ｂに当接し、第１、第２リンク３４，３５は夫々第１下枢軸１４ｂと第２下枢軸３６ｂを中心とした回転が規制される。第１当接部３４ａが第２当接部１１ｂに当接するまでの起立過程では（図３〜図４）、押し上げアーム部２４ｃ下端が揺動ベース１１と一体に設けた押し上げ係合部４０を下方に押しているため、揺動ベース１１は枢軸１２回りで起立方向に回転しない（浮き上がらない）。また、この過程では、第１リンク３４の回転が第２リンク３５の回転より大きく、第１リンク３４と第２リンク３５の回転の差動によって、防水扉３の基部３ｂは前板２ａに対して後方に遠ざかりながら（後方に移動しながら）下向きに揺動する。このため、防水扉基部３ｂと収納凹部４の縁材５の前板２ａ側部分との干渉を防止できる。こうして第１当接部３４ａと第２当接部１１ｂとが当接する起立角度位置（ここでは４５度）となると、押し上げアーム部２４ｃ先端と押し上げ係合部４０との係合が外れ、また、長アーム部２４ａ先端部の長孔２５の長手先端がピン２６に当接する（図４）。
【００１８】
図４の状態から回動アーム２４が更に回動されると、長アーム部２４ａ先端が防水扉３のピン２６を介して防水扉３を更に起立方向に回動させ、ピン２６が長孔２５を引っ掛けて回動アーム２４全体を上方に引き上げるので、支持アーム２２の先端部２２ａが引き上げられていく。押し上げアーム部２４ｃと押し上げ係合部４０との係合が解除された図４の状態では、防水扉３は既に４５度の角度位置にあって、それ以後、ピン２６を介して防水扉３に作用する回動アーム２４からの防水扉３を起立させる方向の分力が大きくなるので、回動アーム２４による回転力を効率よく防水扉３へ作用させることができる。また、第１当接部３４ａと第２当接部１１ｂとが当接した以後における起立過程では、第１リンク３４の下方向への回転が第１当接部３４ａと第２当接部１１ｂの当接によって規制されているため、第１、第２リンク３４，３５はリンク動作を固定されたまま揺動ベース１１と一体となる。従って、防水扉３は揺動ベース１１を介して枢軸１２を中心にして起立方向に揺動される。その結果、防水扉基部３ｂは前記とは逆に前板２ａに対して近づいていき、回動アーム２４の基部２４ｂに設けた回動ストッパ５１が支持アーム２２に当接すると回動アーム２４の回動が止められて回動アーム２４は支持アーム２２に対して直線状となり、長アーム部２４ａ先端部の押し部材５２が防水扉３をシール材６，８方向に押し付けて、図５に示す起立位置で防水扉３をシール材６，８に圧接する。
【００１９】
第１、第２リンク３４，３５が固定された以後の起立過程では、防水扉基部３ｂの移動軌跡は枢軸１２を中心とする円弧を描くが、移動距離が短いため略直線に近似した軌跡として考えることができ、防水扉基部３ｂがシール材６，８に向けて略水平に移動して略垂直に圧接するのでシール材６，８に確実に圧着させてシール効果を良くできると共にシール材６，８の損傷を防止できる。また、傾倒時は前記と反対に動作する。このように、ヒンジ装置３３を第１、第２リンク３４，３５と揺動ベース１１の複数の軸回りの回転構造としたため、長いガイド孔とそれに案内されるローラを用いた滑動構造に比して、収納凹部体２内に侵入する砂、埃等が詰まるおそれが小さく、円滑な揺動動作が期待できる。
【図面の簡単な説明】
【００２０】
【図１】本発明の防水扉装置の平面図である。
【図２】図１のＩＩ−ＩＩ線断面図である。
【図３】防水扉を傾倒位置とした防水扉装置の側面図である。
【図４】第１リンクの第１当接部と揺動ベースの第２当接部とが当接した起立角度位置における防水扉装置の側面図である。
【図５】防水扉を起立位置とした防水扉装置の側面図である。
【図６】先行出願１を説明する図である。
【符号の説明】
【００２１】
１  防水扉装置
２  収納凹部体
３  防水扉
３ａ  防水扉先端部
３ｂ  防水扉基部
６，８  シール材
１０  支持部材
１１  揺動ベース
１１ａ  側壁部
１１ｂ  第２当接部
１２  枢軸
１３  取付部材
２０  駆動軸
２２  支持アーム
２３  中間軸
２４  回動アーム
２４ａ  長アーム部
２４ｂ  基部
２４ｃ  押し上げアーム部
２５  長孔
２８  第１チェーンホイール（回動車）
２９  第２チェーンホイール（駆動車）
３０  無端チェーン（帯状体）
３３  ヒンジ装置
３４  第１リンク
３４ａ  第１当接部
３５  第２リンク
４０  押し上げ係合部
【図１】
2006077389.tif 000003
【図２】
2006077389.tif 000004
【図３】
2006077389.tif 000005
【図４】
2006077389.tif 000006
【図５】
2006077389.tif 000007
【図６】
2006077389.tif 000008